【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】  廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、前記廃棄物通路の前記焼却炉への出口部に対向して回転式の掻落し装置を設置し、該掻落し装置は、該回転軸の回転軸心を前記スクリュー機構の回転軸心にほぼ直角方向に配置するとともに前記回転羽根の外周端部を前記廃棄物通路の出口部に近接せしめたことを特徴とする廃棄物供給装置。
【請求項２】  前記掻落し装置は、回転軸の外周に回転羽根を該回転軸の軸線方向に沿って複数段固着して設けたことを特徴とする請求項１記載の廃棄物供給装置。
【請求項３】  前記掻落し装置は、回転軸の外周に回転羽根を円周方向に沿って複数枚設けたことを特徴とする請求項１又は２記載の廃棄物供給装置。
【請求項４】  前記回転羽根は前記回転軸の軸線方向に沿って複数段、各段の回転方向において位相を存して配置されてなることを特徴とする請求項２又は３記載の廃棄物供給装置。
【請求項５】  前記回転羽根の外周端部に近接する前記スクリューケーシングの出口端部を前記回転羽根の配置に対応して傾斜せしめたことを特徴とする請求項１、２又は３記載の廃棄物供給装置。
【請求項６】  廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、前記廃棄物通路の前記焼却炉への出口部に対向して揺動式の掻落し装置を設置し、該掻落し装置は、揺動軸に支持されて前記スクリューケーシングの廃棄物出口端面に近接しかつ該端面前部を横切るように揺動する揺動カッターと、該揺動カッターを前記揺動軸を介して駆動する揺動カッター駆動装置とを備えてなることを特徴とする廃棄物供給装置。
【請求項７】  廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、前記スクリュー機構の出口端寄りの所定長さ範囲を、スクリューシャフトの外周にスクリュー羽根を設けない羽根除去部となし、前記スクリューケーシングの該羽根除去部を覆う部位に断面積が上流側よりも小さく形成された縮小部を設けたことを特徴とする廃棄物供給装置のシール構造。
【請求項８】  前記スクリュー機構の羽根除去部寄りも軸端側に、前記スクリューケーシングの廃棄物出口端部に対向して、前記廃棄物出口端部から流出する廃棄物を回転により掻落す回転羽根を設けてなることを特徴とする請求項７記載の廃棄物供給装置のシール構造。
【請求項９】  廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、スクリューケーシングの廃棄物出口端部に、所定の曲率でもって屈曲され内部に前記廃棄物通路からの廃棄物を充填可能にされたエルボ部材を連結してなることを特徴とする廃棄物供給装置のシール構造。
【請求項１０】  廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、前記スクリューケーシングの廃棄物出口端部寄りの部位に、前記廃棄物通路の断面積を上流側よりも絞った絞り通路部を形成したことを特徴とする廃棄物供給装置のシール構造。
【請求項１１】  前記絞り通路部に、前記スクリュー機構を、これのスクリュー羽根の外径を上流側よりも小さくして設けたことを特徴とする請求項１０記載の廃棄物供給装置のシール構造。
【手続補正２】
【補正対象書類名】明細書
【補正対象項目名】００１２
【補正方法】変更
【補正の内容】
【００１２】
【課題を解決するための手段】
本発明はかかる課題を解決するため、請求項１記載の発明として、廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、前記廃棄物通路の前記焼却炉への出口部に対向して回転式の掻落し装置を設置し、該掻落し装置は、該回転軸の回転軸心を前記スクリュー機構の回転軸心にほぼ直角方向に配置するとともに前記回転羽根の外周端部を前記廃棄物通路の出口部に近接せしめたことを特徴とする廃棄物供給装置を提案する。
【手続補正３】
【補正対象書類名】明細書
【補正対象項目名】００１３
【補正方法】変更
【補正の内容】
【００１３】
請求項１において、好ましくは、請求項２ないし５のように構成する。即ち請求項２においては、前記掻落し装置は、回転軸の外周に回転羽根を該回転軸の軸線方向に沿って複数段固着して設けたことを特徴とする。
請求項３においては、前記掻落し装置は、回転軸の外周に回転羽根を円周方向に沿って複数枚設けたことを特徴とする。
請求項４においては、前記回転羽根は前記回転軸の軸線方向に沿って複数段、各段の回転方向において位相を存して配置されてなる。
請求項５においては、前記回転羽根の外周端部に近接する前記スクリューケーシングの出口端部を前記回転羽根の配置に対応して傾斜せしめる。
【手続補正４】
【補正対象書類名】明細書
【補正対象項目名】００１６
【補正方法】変更
【補正の内容】
【００１６】
請求項６記載の発明は、廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、前記廃棄物通路の前記焼却炉への出口部に対向して揺動式の掻落し装置を設置し、該掻落し装置は、揺動軸に支持されて前記スクリューケーシングの廃棄物出口端面に近接しかつ該端面前部を横切るように揺動する揺動カッターと、該揺動カッターを前記揺動軸を介して駆動する揺動カッター駆動装置とを備えてなることを特徴とする。
【手続補正５】
【補正対象書類名】明細書
【補正対象項目名】００１８
【補正方法】変更
【補正の内容】
【００１８】
請求項７記載の発明は、廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、前記スクリュー機構の出口端寄りの所定長さ範囲を、スクリューシャフトの外周にスクリュー羽根を設けない羽根除去部となし、前記スクリューケーシングの該羽根除去部を覆う部位に断面積が上流側よりも小さく形成された縮小部を設けたことを特徴とするシール構造にある。
【手続補正６】
【補正対象書類名】明細書
【補正対象項目名】００１９
【補正方法】変更
【補正の内容】
【００１９】
請求項８記載の発明は請求項７に加えて、前記スクリュー機構の羽根除去部よりも軸端側に、前記スクリューケーシングの廃棄物出口端部に対向して、前記廃棄物出口端部から流出する廃棄物を回転により掻落す回転羽根を設けてなることを特徴とする。
【手続補正７】
【補正対象書類名】明細書
【補正対象項目名】００２１
【補正方法】変更
【補正の内容】
【００２１】
請求項９記載の発明は、廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、スクリューケーシングの廃棄物出口端部に、所定の曲率でもって屈曲され内部に前記廃棄物通路からの廃棄物を充填可能にされたエルボ部材を連結してなることを特徴とするシール構造にある。
【手続補正８】
【補正対象書類名】明細書
【補正対象項目名】００２３
【補正方法】変更
【補正の内容】
【００２３】
請求項１０記載の発明は、廃棄物収容用のホッパーから導入される廃棄物を、スクリューシャフトの外周にスクリュー羽根を螺旋状に巻回してなる移送用のスクリュー機構の回転により、該スクリュー機構を収納するスクリューケーシング内の廃棄物通路を搬送して熱分解炉を含む焼却炉に供給する廃棄物供給装置において、前記スクリューケーシングの廃棄物出口端部寄りの部位に、前記廃棄物通路の断面積を上流側よりも絞った絞り通路部を形成したことを特徴とするシール構造にある。
【手続補正９】
【補正対象書類名】明細書
【補正対象項目名】００２４
【補正方法】変更
【補正の内容】
【００２４】
請求項１０において、好ましくは請求項１１のように、前記絞り通路部に、前記スクリュー機構を、これのスクリュー羽根の外径を上流側よりも小さくして設ける。